(57)【特許請求の範囲】
【請求項１】
遊技盤の前面に形成された遊技領域を流下する遊技球が進入可能な進入口と、前記進入口よりも下方に設けられ、前記進入口を介して進入してきた遊技球を排出する２つの排出口と、前記進入口と前記排出口とをつなぐ二股の通路を有する振分通路と、前記振分通路に設置され、前記振分通路へと進入してきた遊技球を振り分けて、何れかの前記排出口へつながる前記通路へ遊技球を進めさせる振分部材とを備えた振分装置が設置されてなるパチンコ機であって、
前記振分部材に、前記通路の少なくとも一部を塞ぐ塞止部を設けるとともに、
前記振分部材を、前記塞止部が前記排出口のうち一方の排出口へつながる第１通路の少なくとも一部を塞いでおり、前記第１通路へ遊技球が進むことを阻止する第１姿勢と、前記塞止部が他方の排出口へつながる第２通路の少なくとも一部を塞いでおり、前記第１通路へ遊技球が進むことを許容し且つ前記第２通路へ遊技球が進むことを阻止する第２姿勢とに変更可能とし、更に前記振分部材を前記第１姿勢に付勢する付勢手段を設けており、
前記振分部材は、前記振分通路へ進入してきた遊技球により押圧されると、前記第１姿勢から前記第２姿勢へと姿勢を変更し、当該遊技球については姿勢を変更する過程において前記第２通路へ進めさせる一方、前記付勢手段の付勢力によって前記第２姿勢から前記第１姿勢へと復帰するまでの間に前記振分通路へ進入してきた遊技球については、前記第１通路へ進めさせることを特徴とするパチンコ機。
【請求項２】
前記排出口が左右方向で２つあり、前記振分部材が、前記振分通路に進入してきた遊技球を、左側の排出口へつながる左側通路と右側の排出口へつながる右側通路とに振り分ける振分装置が設置され、前記左側通路と前記右側通路との何れか一方が前記第１通路となり、何れか他方が前記第２通路となるパチンコ機であって、
前記振分部材は、前後方向を軸として左右へ回転する回転体の前面に、ガイド片と前記塞止部としての塞止片とを前面視Ｖ字状となるように配設してなり、
前記第１姿勢が、前記進入口を介して前記振分通路へ進入してきた遊技球が前記ガイド片と前記塞止片とのＶ字間に落下するような姿勢で、且つ、前記塞止片が前記第１通路の少なくとも一部を塞ぐ姿勢であり、
前記第２姿勢が、遊技球により前記ガイド片が押圧されて前記回転体が所定方向へ回転することにより、前記ガイド片が前記第２通路内へ傾倒し、前記塞止片が、前記第１通路を開放するとともに前記第２通路の少なくとも一部を塞ぐ姿勢であり、
更に、前記回転体が前記第１姿勢を超えて前記所定方向とは逆方向へ回転することを規制する規制手段を設けたことを特徴とする請求項１に記載のパチンコ機。
【発明の詳細な説明】
【技術分野】
【０００１】
本発明は、遊技領域へ遊技球を打ち込んで遊技するパチンコ機に関するものである。
【背景技術】
【０００２】
従来、パチンコ機としては、遊技領域へ打ち込まれて流下する遊技球の流下方向を第１方向と第２方向とで振り分けたり、該振り分けに伴い入賞する入賞口を異ならせたりする振分装置を備えてなるものがある。そのような振分装置としては、略正面視円形の回転体に、遊技球を受け入れる凹部を複数設けたり、遊技球の流下方向を変化させる凸部を設けたりするとともに、該回転体を一定の周期でモータ等により回転させ、遊技球が受け入れられた凹部の違いや凸部に衝突するか否かで遊技球の流下方向を振り分けるといったものが一般的となっている（たとえば、特許文献１）。
【先行技術文献】
【特許文献】
【０００３】
【特許文献１】特開２００８−２６４２０３号公報
【発明の概要】
【発明が解決しようとする課題】
【０００４】
しかしながら、上述したような振分装置では、回転体を回転させるためのモータを設置しなければならず、部品点数が増えてコスト高を招いたり、振分装置の大型化やモータの設置スペースが必要になることにより設計自由度が低下するといった問題がある。
【０００５】
そこで、本発明は、上記問題に鑑みなされたものであって、モータで回転体を回転させたりすることなく、遊技球の流下方向を振り分けることができる振分装置を備えたパチンコ機を提供しようとするものである。
【課題を解決するための手段】
【０００６】
上記目的を達成するために、本発明のうち請求項１に記載の発明は、遊技盤の前面に形成された遊技領域を流下する遊技球が進入可能な進入口と、前記進入口よりも下方に設けられ、前記進入口を介して進入してきた遊技球を排出する２つの排出口と、前記進入口と前記排出口とをつなぐ二股の通路を有する振分通路と、前記振分通路に設置され、前記振分通路へと進入してきた遊技球を振り分けて、何れかの前記排出口へつながる前記通路へ遊技球を進めさせる振分部材とを備えた振分装置が設置されてなるパチンコ機であって、前記振分部材に、前記通路の少なくとも一部を塞ぐ塞止部を設けるとともに、前記振分部材を、前記塞止部が前記排出口のうち一方の排出口へつながる第１通路の少なくとも一部を塞いでおり、前記第１通路へ遊技球が進むことを阻止する第１姿勢と、前記塞止部が他方の排出口へつながる第２通路の少なくとも一部を塞いでおり、前記第１通路へ遊技球が進むことを許容し且つ前記第２通路へ遊技球が進むことを阻止する第２姿勢とに変更可能とし、更に前記振分部材を前記第１姿勢に付勢する付勢手段を設けており、前記振分部材は、前記振分通路へ進入してきた遊技球により押圧されると、前記第１姿勢から前記第２姿勢へと姿勢を変更し、当該遊技球については姿勢を変更する過程において前記第２通路へ進めさせる一方、前記付勢手段の付勢力によって前記第２姿勢から前記第１姿勢へと復帰するまでの間に前記振分通路へ進入してきた遊技球については、前記第１通路へ進めさせることを特徴とする。
請求項２に記載の発明は、請求項１に記載の発明において、前記排出口が左右方向で２つあり、前記振分部材が、前記振分通路に進入してきた遊技球を、左側の排出口へつながる左側通路と右側の排出口へつながる右側通路とに振り分ける振分装置が設置され、前記左側通路と前記右側通路との何れか一方が前記第１通路となり、何れか他方が前記第２通路となるパチンコ機であって、前記振分部材は、前後方向を軸として左右へ回転する回転体の前面に、ガイド片と前記塞止部としての塞止片とを前面視Ｖ字状となるように配設してなり、前記第１姿勢が、前記進入口を介して前記振分通路へ進入してきた遊技球が前記ガイド片と前記塞止片とのＶ字間に落下するような姿勢で、且つ、前記塞止片が前記第１通路の少なくとも一部を塞ぐ姿勢であり、前記第２姿勢が、遊技球により前記ガイド片が押圧されて前記回転体が所定方向へ回転することにより、前記ガイド片が前記第２通路内へ傾倒し、前記塞止片が、前記第１通路を開放するとともに前記第２通路の少なくとも一部を塞ぐ姿勢であり、更に、前記回転体が前記第１姿勢を超えて前記所定方向とは逆方向へ回転することを規制する規制手段を設けたことを特徴とする。
なお、上記請求項１又は２に記載の発明において、前記進入口の上方に、前記遊技球よりも口径が大きな筒状部の底面に底孔を開設してなる球受け部を設けるという構成を採用することも可能である。そして、そのような構成を採用することにより、１個目の遊技球が球受け部内で滞留している間に、２個目の遊技球が球受け部まで到達し、２個の遊技球が連続して進入口へ進入するという事態を期待することができ、遊技球が第１通路へ進む可能性を向上することができるといった効果を奏することができる。
【発明の効果】
【０００７】
本発明によれば、振分通路内へ進入してきた遊技球を第１通路又は第２通路に振り分ける振分部材に、第１通路へ遊技球を進めさせない第１姿勢へと付勢する付勢手段を設けており、遊技球による押圧によって第１通路へ遊技球を進めさせる第２姿勢となった後、付勢手段の付勢力によって自動的に第１姿勢へと復帰するように構成した。したがって、従来の振分装置と比較してモータ等の駆動装置を必要とせず、部品点数の削減に伴う低コスト化、及び振分装置の小型化やモータの設置スペースが必要ないことによる設計自由度の向上等といった効果がある。
また、振分装置では、振分部材が第２姿勢から第１姿勢へと復帰するまでの間に２個以上の遊技球が連続して進入口へ進入しない限り、遊技球が第１通路へ進む事態は起こらない。したがって、このことを利用した従来にない斬新な遊技を提供することができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】振分装置の外観を示した斜視説明図である。
【図５】振分装置を前方から示した説明図である。
【図６】図５中のＡ−Ａ線断面を示した説明図である。
【図７】振分装置の第２誘導部材を示した説明図であり、（ａ）は第２誘導部材の斜視説明図、（ｂ）は第２誘導部材を上方から示した説明図、（ｃ）は第２誘導部材の断面を示した説明図である。
【図８】振分装置の振分部材が通常姿勢にある状態を示した説明図である。
【図９】振分部材が傾倒姿勢にある状態を示した説明図である。
【図１０】振分装置を分解して示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字や絵柄等からなる図柄を表示するための図柄表示部６が設けられている。さらに、図柄表示部６を囲むように種々の電動役物を備えたセンター部材２６が遊技盤２に設置されており、該センター部材２６の左方には、後述する振分装置３０と、遊技球が通過可能な２つのゲート部材１９、２０とが設けられている。加えて、遊技領域１６には、一対の爪片を開閉動作可能に備えたチューリップ式電動役物１７、開閉可能な扉部材を有する大入賞装置１８や多数の遊技釘等が設置されている。
【００１２】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１３】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、図柄表示部６に図柄を表示させるための液晶表示装置、遊技に係る主たる制御（たとえば、所謂「大当たり抽選」等）を実行するためのメイン制御装置（図示せず）、図柄表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や発光制御装置等の動作を統合的に制御するとともに、センター部材２６に設けられた電動役物の作動を制御するサブ制御装置（図示せず）等が設置されている。尚、２２は、パチンコ機１をトランスに接続するためのプラグであり、２７は、アースである。
【００１４】
以上のようなパチンコ機１では、遊技者によってハンドル９が回動操作されると、発射装置１０が作動して遊技球が遊技領域１６内へ打ち込まれる。そして、遊技領域１６内を流下する遊技球がチューリップ式電動役物１７へ入賞すると、メイン制御装置にて「大当たり抽選」を行う。該「大当たり抽選」は、乱数から１つの数値を取得する態様で行われ、取得した数値に応じて「大当たり」であるか「外れ」であるかを決定する。該「大当たり抽選」の結果、「大当たり」である場合には、図柄表示部６において所定の変動時間だけ図柄を変動表示させた後、所定の「大当たり図柄」（たとえば、「７、７、７」等）を確定表示させる。さらに確定表示後、大入賞装置１８の扉部材を所定回数にわたって断続的に開成させるといった所謂「大当たり状態」を生起させる。
【００１５】
また、遊技領域１６内を流下する遊技球が振分装置３０に進入すると、該遊技球は振分装置３０内で後述の如くして振り分けられ、左側の排出口３１又は右側の排出口３２（図５に示す）から排出される。そして、左側の排出口３１から排出された遊技球は、その下方に設置されているゲート部材１９を、右側の排出口３２から排出された遊技球は、その下方に設置されているゲート部材２０を夫々通過する。一方、メイン制御装置では、遊技球のゲート部材１９、２０の通過を検出すると、乱数から１つの数値を取得し、取得した数値に応じて「当たり」であるか「外れ」であるかを決定する「当たり抽選」を実行する。そして、「当たり抽選」の結果、「当たり」である場合には、チューリップ式電動役物１７に備えられた一対の翼片を所定時間（たとえば２秒間）にわたって開動作させ、チューリップ式電動役物１７へ遊技球が入賞しやすい状態とする。尚、上記「当たり抽選」において「当たり」となる確率は、ゲート部材１９、２０毎に設定されており、ゲート部材１９を通過した場合には１／２０の確率で「当たり」となる一方、ゲート部材２０を通過した場合には１／４の確率で「当たり」となるように夫々設定されている。
【００１６】
（振分装置の構造）
ここで、本発明の要部となる振分装置３０について、まず振分装置３０の構造を図４〜図１０にもとづき詳細に説明する。
図４は、振分装置３０の外観を示した斜視説明図である。図５は、振分装置３０を前方から示した説明図であり、図６は、図５中のＡ−Ａ線断面を示した説明図である。図７は、振分装置３０の第２誘導部材４７を示した説明図であり、（ａ）は第２誘導部材４７の斜視説明図、（ｂ）は第２誘導部材４７を上方から示した説明図、（ｃ）は第２誘導部材４７の断面を示した説明図である。図８は、振分装置３０の振分部材３５が通常姿勢にある状態を示した説明図であり、図９は、振分部材３５が傾倒姿勢にある状態を示した説明図である。図１０は、振分装置３０を分解して示した説明図である。
【００１７】
振分装置３０は、誘導路４５を介して進入口３４から本体ケース３３内部へ進入した遊技球を振分部材３５によって振り分け、左側の排出口３１又は右側の排出口３２の何れかから排出する装置であって、振分部材３５が設置された振分部３０ａと、振分部３０ａの上方に設けられ、進入口３４へと遊技球を導くための誘導路４５を有する誘導部３０ｂとに分けることができる。尚、本体ケース３３の左右の排出口３１、３２には、遊技球の通過を検出するためのセンサ６０が夫々設けられている。また、６１は、進入口３４の左右から上方へ延設され、後述する第１誘導部材４６を支持する腕部である。さらに、６２は、振分装置３０の本体ケース３３を遊技盤２に固定するための取付部であり、本体ケース３３の後側のケース部材と一体的に設けられている。
【００１８】
振分部３０ａは、本体ケース３３内部に設けられた振分通路３６と、振分通路３６中に設置された振分部材３５とからなる。振分通路３６は、内部を遊技球が通過可能な通路であって、本体ケース３３内部において二股となる逆Ｖ字状に設けられており、頂部は本体ケース３３の上面に開設された進入口３４に、頂部から左方へ下降傾斜する左側通路３６ａは本体ケース３３の下面左側に開設された左側の排出口３１に、頂部から右方へ下降傾斜する右側通路３６ｂは本体ケース３３の下面右側に開設された右側の排出口３２に夫々連通している。一方、振分部材３５は、前面視円形のブロック体である回転体３７の前面に、回転体３７の中心から径方向へ回転体３７の周縁を超えて延設されたガイド片３８と、回転体３７の中心からガイド片３８とは異なる径方向へ延設された塞止片３９とを前面視Ｖ字状に配設してなり、回転体３７の中心には前後方向へ延びる軸４０が設けられている。また、回転体３７には、自身の回転動作を所定の回転角度内で規制するための円弧状のスリット４１が開設されているとともに、回転体３７の周縁部には、遊技球１個の重さよりは軽い重り４２が設置されている。尚、ガイド片３８と塞止片３９との連結部分は滑らかな凹状に形成されており、後述するように進入口３４から落下してきた遊技球を受け止める受け止め部として機能する。
【００１９】
そして、該振分部材３５は、振分通路３６内にガイド片３８及び塞止片３９が位置する状態で、前後方向を軸として回転体３７を回転可能に本体ケース３３へ軸支して設けられている。そして、回転体３７の回転に伴い、ガイド片３８が左側通路３６ａを塞ぐとともに塞止片３９が右側通路３６ｂを塞ぎ、ガイド片３８と塞止片３９との連結部分（Ｖ字間）、すなわち上記受け止め部が進入口３４の下方に位置する通常姿勢（第１姿勢）と、ガイド片３８が左側通路３６ａの底面に当接するまで傾倒し、塞止片３９が右側通路３６ｂを開放するとともに左側通路３６ａを塞ぐ傾倒姿勢（第２姿勢）とで姿勢を変更可能となっている。また、該軸支状態において、振分通路３６の底面から後方へ突設された突起４３がスリット４１内に嵌入しており、突起４３が回転体３７の回転によりスリット４１内を相対的に移動してスリット４１の下方側の端部に到達することで、該位置を超えて回転体３７が回転する事態、すなわち上記通常姿勢を超えてガイド片３８や塞止片３９が右側通路３６ｂ側へ傾倒する方向へ回転してしまう事態を防止している。さらに、重り４２は、振分部材３５が通常姿勢にある際にも回転体３７の鉛直下端に到達しないような位置に設置されており、常に回転体３７を通常姿勢側（前面側から見ると右回り方向）へ付勢するようになっている。
【００２０】
一方、誘導部３０ｂは、遊技球を進入口３４へ導くための誘導路４５を形成する第１誘導部材４６と第２誘導部材４７とから構成されており、誘導路４５は、第１誘導部材４６に設けられた第１誘導路４５ａと、該第１誘導路４５ａと一連であり、第２誘導部材４７に設けられた第２誘導路４５ｂとからなる。第１誘導部材４６は、前方から後方へ下りながら延びる第１誘導路４５ａを有している。該第１誘導路４５ａの前端は、遊技領域１６内において上方へ開口する流入口４８とされ、遊技領域１６内を流下する遊技球を、流入口４８を介して誘導路４５内へ流入可能としている。さらに、第１誘導路４５ａの後端は、下方へ開口しており、第２誘導部材４７の第２誘導路４５ｂと一連に接続されている。尚、流入口４８の上方には、流入口４８へ流入する遊技球を検出するためのセンサ６０が設置されている。
【００２１】
第２誘導部材４７は、後方から前方へ下りながら延びる第２誘導路４５ｂを有しており、該第２誘導路４５ｂの後端は上方へ開口し、第１誘導路４５ａの後端と一連に接続されている。また、第２誘導路４５ｂの前端には、椀状の球受け部４９が設けられている。該球受け部４９は、口径が１７．０ｍｍの筒状部４９ａと、筒状部４９ａの下方に一体的に連設され、徐々に口径が狭くなる絞り部４９ｂとからなり、絞り部４９ｂの最下端には直径１１．５ｍｍの底孔５０が開設されている。そして、筒状部４９ａの側面に、幅１２．０ｍｍとされた第２誘導路４５ｂが連結されている。このような構成を有する第２誘導部材４７は、底孔５０が進入口３４の上方に近接するような姿勢で組み付けられ、誘導路４５を通って球受け部４９まで誘導されてきた遊技球を、底孔５０から進入口３４を介して本体ケース３３内、すなわち振分通路３６へ進入させるようになっている。尚、遊技球の直径は１１．０ｍｍである。
【００２２】
（振分装置の作用）
次に、上記構成を有する振分装置３０の作用について説明する。
流入口４８を介して第１誘導部材４６へ流入した遊技球は、第２誘導部材４７へと誘導され、第２誘導路４５ｂから球受け部４９へ排出される。すると、遊技球は誘導路４５を流下してきた勢いにより球受け部４９の筒状部４９ａ内でばたつき、僅かの間（たとえば０．５秒間）筒状部４９ａ内に滞留した後、底孔５０から進入口３４を介して振分通路３６へと落下して進入する。このとき、振分部材３５は通常姿勢にあり、振分通路３６へと進入してきた遊技球を受け止め部で一旦受け止めるものの、進入してきた遊技球にガイド片３８が押圧されて通常姿勢から傾倒姿勢へと姿勢をかえ、当該姿勢の変更過程において遊技球を左側通路３６ａへと進ませる。そして、ガイド片３８上を転動した遊技球がガイド片３８の先端から離れると、重り４２の付勢により振分部材３５は通常姿勢へと復帰する。また、ガイド片３８の先端から離れた遊技球は左側の排出口３１から排出され、その下方に設置されたゲート部材１９を通過する。尚、振分部材３５は、通常姿勢で遊技球を受け止めた際、スリット４１と突起４３とにより回転体３７の回転を通常姿勢から傾倒姿勢となる側へのみ許容していること、及び右側通路３６ｂを塞ぐように立設された塞止片３９により、遊技球が右側通路３６ｂへ進入する事態を防止する。
【００２３】
また、２個の遊技球Ｐ、Ｑが短時間で連続的に流入すると、１個目の遊技球Ｐが上述の如く筒状部４９ａ内でばたついて滞留している間に、２個目の遊技球Ｑが球受け部４９へと到達し、２個目の遊技球Ｑが１個目の遊技球Ｐを底孔５０へ押し込むような格好となり、２個の遊技球Ｐ、Ｑが連続して振分通路３６へ進入する。すると、振分部材３５が１個目の遊技球Ｐにより通常姿勢から傾倒姿勢へと姿勢をかえ、塞止片３９が右側通路３６ｂを開放するとともに左側通路３６ａを塞ぐため、２個目の遊技球Ｑは、開放された右側通路３６ｂへと進む。したがって、２個の遊技球Ｐ、Ｑが短時間で連続的に流入すると、１個目の遊技球Ｐは左側の排出口３１から、２個目の遊技球Ｑは右側の排出口３２から夫々排出され、下方に設置されたそれぞれのゲート部材１９、２０を通過する。尚、本実施形態では、３個の遊技球が連続して流入したとしても、３個目の遊技球は再び左側通路３６ａへ進入するように、ガイド片３８の長さや筒状部４９ａの口径や上下長さ等が調整されている。すなわち、２個目の遊技球が１個目の遊技球を押し込むようにして振分通路３６へ進入するため、３個目の遊技球が再び筒状部４９ａ内でばたついている間に、１個目の遊技球がガイド片３８の先端から離れ、３個目の遊技球が振分通路３６へ進入する頃には振分部材３５が通常姿勢へと復帰するようにガイド片３８の長さ、筒状部４９ａの口径や上下長さ、底孔５０の径等を設計している。
【００２４】
（本実施形態のパチンコ機による効果）
以上のようなパチンコ機１によれば、振分通路３６内へ進入してきた遊技球を左側通路３６ａ又は右側通路３６ｂへ振り分ける振分装置３０において、進入してきた遊技球に押圧されて回転体３７が回転することにより、振分部材３５が右側通路３６ｂへ遊技球を進入させない通常姿勢から、右側通路３６ｂを開放する傾倒姿勢へと姿勢をかえるとともに、振分部材３５に取り付けた重り４２により、振分部材３５が自動的に傾倒姿勢から通常姿勢へと復帰するように構成している。したがって、従来の振分装置と比較してモータ等の駆動装置を必要とせず、部品点数の削減に伴う低コスト化、及び振分装置３０の小型化やモータの設置スペースが必要ないことによる設計自由度の向上等といった効果がある。
【００２５】
また、振分装置３０では、２個の遊技球が連続して流入しない限り、右側通路３６ｂへ遊技球を振り分ける、すなわち右側の排出口３２から遊技球を排出させることがない。したがって、このことを利用した従来にない斬新な遊技（たとえば、上述したように振分装置３０へ２個の遊技球が連続して流入し、右側の排出口３２から遊技球が排出された場合には、左側の排出口３１から排出された場合よりも遊技者にとって有利な状況となるような遊技）を提供することができる。
【００２６】
さらに、振分部３０ａの上方に誘導部３０ｂを設けており、誘導部３０ｂの誘導路４５の最下流に、遊技球の直径よりも口径の大きな筒状部４９ａを備えた球受け部４９を設け、遊技球を振分部材３５により振り分ける（より具体的には、遊技球を進入口３４へ進入させる）前に、球受け部４９で僅かの間だけ滞留させるように構成している。したがって、流入口４８へ流入する時点で連続していなくても、１個目の遊技球Ｐが球受け部４９で滞留している間に２個目の遊技球Ｑが球受け部４９へと到達するような間隔であれば、２個目の遊技球Ｑを右側通路３６ｂへ進ませることができ、極めて稀にしか右側通路３６ｂへ進まないといった事態の発生を防止することができる。
【００２７】
加えて、直径Ｘｍｍの遊技球に対して筒状部４９ａの口径を１７．０ｍｍとしているため、２個目の遊技球Ｑが到達した際に１個目の遊技球Ｐを押し込むように連続して振分通路３６へ進入させることができ、２個の遊技球Ｐ、Ｑが連続して流入したにも拘わらず、進入口３４から進入する際には連続できず、２個の遊技球Ｐ、Ｑともに左側通路３６ａへ進んでしまうといった事態を防止することができる。
【００２８】
（本発明の変更例）
なお、本発明のパチンコ機に係る構成は、上記実施形態に何ら限定されるものではなく、パチンコ機全体の構成、振分装置の構造や振分装置の下方にどのような部材を設けるのか等について、本発明の趣旨を逸脱しない範囲で必要に応じて適宜変更可能である。
【００２９】
たとえば、上記実施形態では、振分装置３０の各排出口３１、３２の下方に夫々ゲート部材１９、２０を設けているが、ゲート部材の代わりに入賞装置を設けることも可能である。そして、該入賞装置への入賞に伴い「大当たり抽選」を行うようにし、左側の入賞装置へ入賞した（左側の排出口３１から排出された）場合よりも、右側の入賞装置へ入賞した（右側の排出口３２から排出された）場合の方が「大当たり」となる確率が高くなっているようなパチンコ機としても何ら問題はない。
また、振分装置３０の遊技領域１６内での設置位置についても適宜変更可能であって、センター部材２６の下方に、チューリップ式電動役物１７に代えて振分装置３０及び２つの入賞装置を設けてもよい。
【００３０】
さらに、上記振分装置３０では、振分部３０ａの上方に誘導部３０ｂを設けているが、誘導部３０ｂを設けない、すなわち遊技領域１６内を流下する遊技球を進入口３４へ直接進入させるような構成とすることも可能である。
また、ガイド片３８の長さを長くすることにより、連続して振分通路３６へ進入してきた３個の遊技球のうちの後の２個を右側通路３６ｂへ振り分けるように構成することも可能であるし、スリット４１や重り４２の位置を変更する等することで、回転体３７の回転方向を変更し、通常は右側通路３６ｂへ、連続して進入してきた場合にのみ後の遊技球を左側通路３６ａへ進めさせるようにしても何ら問題はない。
【００３１】
さらにまた、上記実施形態では振分部材３５を通常姿勢へ復帰させる付勢部材として重り４２を採用しているが、重り４２を取り付けるのではなく、軸３９にコイルバネを嵌装し、振分部材３５を通常姿勢側へ付勢するような構成を採用することも可能である。
加えて、流入口４８へ流入する遊技球をセンサ６０で検出すると、振動検出センサをＯＮとし、遊技機に対して衝撃を加える等の不正行為が行われていないかを検出するように構成してもよい。
【符号の説明】
【００３２】
１・・パチンコ機、２・・遊技盤、１６・・遊技領域、１９、２０・・ゲート部材、３０・・振分装置、３０ａ・・振分部、３０ｂ・・誘導部、３１、３２・・排出口、３３・・本体ケース、３４・・進入口、３５・・振分部材、３６・・振分通路、３６ａ・・左側通路（第２通路）、３６ｂ・・右側通路（第１通路）、３７・・回転体、３８・・ガイド片、３９・・塞止片、４０・・軸、４１・・スリット（規制手段）、４２・・重り（付勢部材）、４３・・突起（規制手段）、４５・・誘導路、４６・・第１誘導部材、４７・・第２誘導部材、４８・・流入口、４９・・球受け部、４９ａ・・筒状部、４９ｂ・・絞り部、５０・・底孔。
【図１】
0005927377.tif 000002
【図２】
0005927377.tif 000003
【図３】
0005927377.tif 000004
【図４】
0005927377.tif 000005
【図５】
0005927377.tif 000006
【図６】
0005927377.tif 000007
【図７】
0005927377.tif 000008
【図８】
0005927377.tif 000009
【図９】
0005927377.tif 000010
【図１０】
0005927377.tif 000011